(57)【要約】本発明は、眼科用レンズ挿入装置に係る。該装置は、一組のリーフスプリングの間にレンズを保持し、角膜上へと又は角膜ポケットへと該レンズを取り出すようリーフスプリング間で動くプランジャを有する。【特許請求の範囲】
【請求項１】
眼科用レンズ挿入装置であって、
ハンドルと、
前記ハンドルから、レンズを受容し且つグリップするよう構成される共通終了点まで延在する、一組のグリップ部材と、
前記グリップ部材間において前記ハンドルから延在し、後退位置と伸展位置との間で可動である、プランジャと、
を有し、
前記プランジャは、前記レンズ押し出し端部を有し、
前記後退位置は、前記レンズ押し出し端部を前記共通終了点から離して前記ハンドルに向かって置くよう十分であり、
前記伸展位置は、前記共通終了点において前記グリップ部材間で前記レンズ押し出し端部を前記ハンドルから離して通すよう十分であるため、前記共通終了点において保持されるレンズは、前記レンズ押し出し端部の動作によって前記装置から押し出されるようにされる、
装置。
【請求項２】
前記グリップ部材は、弾性的にバイアスをかけられ、
前記レンズを適所に保持するよう前記グリップ部材間の適所におけるレンズ上に前記共通終了点において十分な圧力を与えるようにし、また、前記プランジャが前記共通終了点に達する一方で前記グリップ部材間において前記伸展位置に向かって動かされる際には、離れるようにする、
請求項１記載の装置。
【請求項３】
更に、前記プランジャは、前記伸展位置と前記後退位置との間における相互動作に対して前記ハンドル内部に適合され、前記ハンドルの外側の手動のアクチュエータに対して取り付けられる、
請求項１記載の装置。
【請求項４】
前記グリップ部材は、前記ハンドルに対してより近くでは間隔を離され、前記共通終了点においては前記グリップ部材間でレンズをグリップするよう十分に共に近接する、
請求項２記載の装置。
【請求項５】
前記プランジャは、上方側及び下方側を有し、前記レンズ押し出し端部において隣接する前記上方側上及び前記下方側上のランド部を有する、
請求項１記載の装置。
【請求項６】
更に、前記グリップ部材は各々、内部に対面する溝を有し、前記プランジャの前記ランド部は、前記プランジャが前記伸展位置へと動かされる際に前記溝へと摺動する、
請求項５記載の装置。
【請求項７】
前記ランド部は、夫々の前記溝の深さより前記プランジャから僅かに高く離れるため、前記プランジャが伸展される際、前記ランド部は、前記グリッパが前記レンズ上の安定したグリップから離れるようにし、前記プランジャによって前記共通終了点を押し出されるよう前記レンズを解放する、
請求項６記載の装置。
【請求項８】
前記ランド部のうち少なくとも１つは、夫々の前記溝の深さより前記プランジャから僅かに高く離れるため、前記プランジャが伸展される際、前記ランド部は、前記グリッパが前記レンズ上の安定したグリップから離れるようにし、前記プランジャによって前記共通終了点を押し出されるよう前記レンズを解放する、
請求項６記載の装置。
【発明の詳細な説明】
【技術分野】
【０００１】
本発明は、レンズを角膜へと挿入する器具に係る。
【背景技術】
【０００２】
角膜へのレンズの挿入には、正確且つ慎重な配置が求められる。器具は、使用が容易であり、レンズを曲げる又は損傷することなく、角膜ポケットへと適合する必要性がある。
【発明の開示】
【発明が解決しようとする課題】
【０００３】
要約すると、本発明は、一組のグリップ部材を有し、該グリップ部材は、ハンドルからレンズを保持し得る共通終了点（ｃｏｔｅｒｍｉｎａｔｉｏｎ  ｐｏｉｎｔ）まで延在する。プランジャは、後退位置（ｒｅｔｒａｃｔｅｄ  ｐｏｓｉｔｉｏｎ）から伸展位置（ｅｘｔｅｎｄｅｄ  ｐｏｓｉｔｉｏｎ）までグリップ部材間で可動であり、それによってグリップ部材間からレンズを押し出す。グリップ部材は、弾性的にバイアスをかけられるため、該部材がレンズを保持するよう十分にグリップすると同時に、プランジャが共通終了点において該部材の間を通る際に、該部材は、離れて、プランジャがレンズを係合し且つレンズを共通終了点から角膜における所望の位置へと押し出すことを可能にする。
【課題を解決するための手段】
【０００４】
当該装置はハンドルを有し、グリップ部材は、ハンドルに対して、望ましくは離されて取り付けられる。プランジャは、ハンドルが前後に摺動し得るようにする摺動機構におけるハンドル内部に保持される。該プランジャは、手動で操作可能であるアクチュエータによって作動され得る。アクチュエータは、ハンドルの外側にあり、ハンドルにおけるスロットを介してプランジャに対して取り付けられる。
【発明を実施するための最良の形態】
【０００５】
本発明は、レンズを人間又は他の動物の眼へと配置するようレンズ挿入工程を実行する執刀医の手において保持される装置に係る。典型的には、レンズは、角膜弁の下方又は角膜ポケットへと挿入される。この装置は、特には角膜ポケットへの又は弁によって露出された角膜表面上への挿入、並びに、正しい位置にレンズを制御可能に置くことを可能にする。
【０００６】
以下の説明は、図面及び装置の部分に対して割り当てられた参照符号を有して最善に理解され得る。
【０００７】
レンズ挿入装置１０は、３つの主要な部分を有する。該部分は、ハンドル１２，プランジャ１４、及びグリッパ１６ａ及び１６ｂである。ハンドルの前方において、ベアリング１８及び固定カラー（ｒｅｔａｉｎｉｎｇ  ｃｏｌｌａｒ）２０がある。
【０００８】
プランジャ１４は、前方部分２２、シャフト部分２４、及び制御部分２６を有する。プランジャ１４の前方部分２２は、湾曲した先端２８と、ランド部（ｌａｎｄ）３０ａ及び３０ｂとして称される対向して肥厚された部分３０ａ及び３０ｂとを有する。プランジャ２２の前方部分は、装置から押し出されるレンズの湾曲した周辺に接触するよう構成された湾曲した終端部２３において終了する。プランジャ１４の前方部分２２の後方には、プランジャシャフト部２４がベアリング１８に重なる（ｒｉｄｅｓ  ｉｎ  ｔｈｅ  ｂｅａｒｉｎｇ  １８）。プランジャシャフト部１８の後方において、プランジャ１４のプランジャ制御部２６が後方に延在する。該制御部は、ベアリングとして働くハンドル１２の内側表面３２上に潤滑に重なる。また、アクチュエータ３４は、プランジャ１４から横方向に延在し、スロット３８を用いてハンドル１２を介して延在するポスト３６によって取り付けられる。スロット３８は、放射状スロット４０を有する。
【０００９】
グリッパ１６ａ及び１６ｂは、カラー２０によって適合及び保持される。該グリッパは、ハンドル１２上で正反対に対向して取り付けられ、ハンドル１２に取り付けられるところに間隔をあけられる。該グリッパは、共通終了点４２において交わり集まるよう形成される。グリッパ１６ａ及び１６ｂは、望ましくはスプリング材料を有して作られ、共通終了点４２において合うところで共に弾性的にバイアスをかけられ得る。共通終了点４２は、レンズ４４を保持するよう構成され、グリッパは、レンズ４４がプランジャ１４によって押し出されるまで適所にレンズ４４を保持するよう共に十分にバイアスをかけられる。グリッパ１６ａ及び１６ｂはまた、共通終了点４２のすぐ後方で始まり、グリッパ１６ａ及び１６ｂの端部まで延在する内側表面上の凹部４５ａ及び４５ｂを有する。かかる凹部はまた、それらのランド部３０ａ及び３０ｂとの相互関係を考慮して、溝４５ａ及び４５ｂとも称される。グリッパ１６ａ及び１６ｂはまた、共通終了点４３のすぐ後方で開き、後方に向かって延在するウィンドウ４６ａ及び４６ｂを有する。
【００１０】
当該装置の使用は、共通終了点４２においてレンズ４４を置くことを有して開始する。これは、グリッパ１６ａ及び１６ｂを広げることによって行われる。グリッパ１６ａ及び１６ｂは、アクチュエータ３４を回転させることによって便利に広げられ得、そのポスト３６は、放射状スロット４０に入る。この回転は、プランジャ１４の前方部分２２を回転させ、該部分は、回転する際にグリッパ１６ａ及び１６ｂに接触し、それらを離して保持し、レンズ４４が容易且つ正確に適所に置かれ得るようにする。
【００１１】
当該装置は、角膜ポケットにおいて、又は弁によって覆われる角膜上において適所にレンズ４４を置くよう使用される状態にある。
【００１２】
レンズ４４を例えば角膜ポケットへと挿入するよう、グリッパ１６ａ及び１６ｂは、角膜ポケットへと摺動され、レンズ４４が置かれる場所のすぐ手前で停止する。続いて、プランジャ１４は、前方に動かされる。プランジャが前方に動く際、ランド部３０ａ及び３０ｂは、溝４５ａ及び４５ｂに入る。この相互作用は、プランジャ１４の終端部２３がレンズ４４を越え（ｏｖｅｒｒｉｄｅ）得ない、という利点を有する。また、ランド部３０ａ及び３０ｂ並びに溝４５ａ及び４５ｂの協働する寸法決定（ｄｉｍｅｎｓｉｏｎｉｎｇ）が、溝４５ａ及び４５ｂがランド部３０ａ及び３０ｂの高さより僅かに深さがないようにされる場合、溝４５ａ及び４５ｂがランド部３０ａ及び３０ｂへと入ることにより、グリッパ１６ａ及び１６ｂが僅かに離れ、レンズ４４上でグリッパが僅かに開放される。操作者は、ウィンドウ４５ａ及び４５ｂを介してプランジャ終端部２３の動き、並びにウィンドウ４５ａ及び４５ｂを介して該端部とレンズ４４の両方の動きを見ることができ、挿入工程は、慎重に制御され得る。レンズ４４が共通終了点４２から取り出された（イジェクトされた）後、小さな調整は、共通終了点４２を有してレンズ４４を軽く押すことによって、必要に応じてなされ得る。
【００１３】
明らかである通り、レンズは、プランジャによる取出しの時点まで、グリッパ間で十分にしっかりと保持される。プランジャは、その後退位置において、グリッパと接触しないため、グリッパのみが、装置の作動の前にレンズの保持を確定する。プランジャは、グリッパの端部を僅かに越えて通るようレンズの取出しサイクルを進めるよう十分な移動を有するため、レンズは十分に取り出される。
【００１４】
上述されたレンズ挿入装置は、単一の手を有して使用され得、レンズを３ｍｍ未満（ｓｕｂ−３ｍｍ）の角膜トンネル切開に用いるよう適切であり、加圧滅菌器で処理され得る。
【００１５】
本発明の実施例は、本願において開示される。したがって、多種の修正、代替案、変形等は、添付の請求項及び同等のものにおいて定義付けられる本発明の趣旨及び範囲から逸脱することなくなされ得る。当然のことながら、かかる全ての修正は、事実上請求項又は同等のものの範囲内にあるよう添付の請求項によってカバーされる、ことは意図される。
【図面の簡単な説明】
【００１６】
【図１】本発明の斜視図である。
【図１Ａ】本発明の斜視図である。
【図２】本発明の上面図である。
【図３】図１中のＡの詳細図である。
【図４】図２中のＢ−Ｂを介する図である。
【図５】本発明の下面図である。
【図６】図５中のＡ−Ａを介する図である。
【図７】本発明の側面図である。
【図８】図７中の部分Ｃ−Ｃの図である。
【図９】本発明の正面の部分的斜視図である。
【図１０】後退位置におけるプランジャを有する本発明の部分的斜視図である。
【図１１】後退位置におけるプランジャを有する本発明の部分的斜視上方断面図である。
【図１２】伸展位置におけるプランジャ及びグリップ部材の共通終了点におけるレンズを示す、本発明の部分的斜視側面図である。
【図１３】伸展位置におけるプランジャ及びグリップ部材の共通終了点から押し出されたレンズを有する、本発明の部分的斜視図である。
【図１４】透過して示される（ｓｈｏｗｎ  ｉｎ  ｔｒａｎｓｐａｒｅｎｃｙ）グリップ部、後退位置におけるプランジャ及び共通終了点におけるレンズを有する本発明の部分的斜視図である。
【図１５】後退位置におけるプランジャを示す本発明の部分的斜視上方断面図である。
【図１】
2008513044.tif 000002
【図１Ａ】
2008513044.tif 000003
【図２】
2008513044.tif 000004
【図３】
2008513044.tif 000005
【図４】
2008513044.tif 000006
【図５】
2008513044.tif 000007
【図６】
2008513044.tif 000008
【図７】
2008513044.tif 000009
【図８】
2008513044.tif 000010
【図９】
2008513044.tif 000011
【図１０】
2008513044.tif 000012
【図１１】
2008513044.tif 000013
【図１２】
2008513044.tif 000014
【図１３】
2008513044.tif 000015
【図１４】
2008513044.tif 000016
【図１５】
2008513044.tif 000017